(57)【特許請求の範囲】
【請求項１】
複数個のオーディオサービス及び少なくとも放送ウェブサイト（ＢＷＳ）を含む複数個のデータサービスを多重化した放送波を受信するデジタルオーディオ放送受信装置であって、
表示手段と、
指示に応じた放送局の放送波を受信するチューナーと、
受信中の放送信号の受信状態を検出する制御手段と、
を有し、
前記制御手段は、受信中の放送信号の受信状態が所定レベル未満になったとき、受信しているＢＷＳと同一のサービスを放送している異なるアンサンブルを受信して、閲覧しているページと同一のページを再構成して前記表示手段の画面に表示させる際に、新たなアンサンブルから再構成されたＭＯＴオブジェクトから、ＢＷＳサービスの階層構造が記述されたＭＯＴディレクトリを参照してどの階層のページまで再構成されたかを検出し、閲覧中のＢＷＳのページと同一のページが再構成された段階で、新たなアンサンブルから再構成されたページを表示させることを特徴とするデジタルオーディオ放送受信装置。
【請求項２】
さらに、記憶手段を備え、
前記制御手段は、受信したデータサービスの閲覧中のＢＷＳのページの情報を前記記憶手段に保存し、当該閲覧中のＢＷＳのページの情報を参照して同一のページを構成し、前記表示手段の画面に出力することを特徴とする請求項１に記載のデジタルオーディオ放送受信装置。
【請求項３】
前記制御手段は、受信したデータサービスの閲覧中のＢＷＳのページを含む階層の情報を前記記憶手段に保存し、当該閲覧中のＢＷＳのページ及び階層の情報を参照して同一の階層におけるページを構成し、前記表示手段の画面に出力することを特徴とする請求項２に記載のデジタルオーディオ放送受信装置。
【請求項４】
前記制御手段は、前記切り替え後のアンサンブルにおいて前記ＢＷＳのページを取得するまで、前記記憶手段に格納しておいた閲覧中のＢＷＳのページを前記表示手段の画面に出力することを特徴とする請求項３に記載のデジタルオーディオ放送受信装置。
【請求項５】
前記制御手段は、良好な状態で受信可能な前記異なるアンサンブルが存在することを検出したとき、当該アンサンブルに受信周波数を切り替えてＢＷＳのページを取得することを特徴とする請求項１に記載のデジタルオーディオ放送受信装置。
【請求項６】
前記制御手段は、良好な状態で受信可能な前記異なるアンサンブルが存在しないと判定したとき、前記記憶手段に格納した閲覧中のＢＷＳのページを前記表示手段の画面に出力することを特徴とする請求項２に記載のデジタルオーディオ放送受信装置。
【請求項７】
前記制御手段は、前記アンサンブルが存在するか否かの検出をサービスリンク情報及び他アンサンブル情報を基に行うことを特徴とする請求項１に記載のデジタルオーディオ放送受信装置。
【請求項８】
前記制御手段は、受信状態が良好になったとき、前記記憶手段に格納した閲覧中のＢＷＳのページと同一のページを構成して前記表示手段の画面に出力することを特徴とする請求項４に記載のデジタルオーディオ放送受信装置。
【請求項９】
受信中のＢＷＳサービスの放送信号の受信状態を検出するステップと、
受信状態が所定レベル未満となったとき、デジタルオーディオ放送受信装置で受信しているＢＷＳサービスと同一のサービスを放送している異なるアンサンブルを検出するステップと、
新たなアンサンブルから再構成されたＭＯＴオブジェクトから、前記ＢＷＳサービスの階層構造が記述されたＭＯＴディレクトリを参照してどの階層のページまで再構成されたかを検出するステップと、
閲覧中のＢＷＳのページと同一のページが再構成された段階で、新たなアンサンブルから再構成されたページを表示させるステップと、
を有することを特徴とするデジタルオーディオ放送受信方法。
【請求項１０】
前記異なるアンサンブルを検出するステップの前に、前記受信中のＢＷＳサービスのページを記憶手段に保存するステップを有し、
前記同一のページを出力するステップでは、前記記憶手段に保存した受信中のＢＷＳのページを参照して同一のページを構成することを特徴とする請求項９に記載のデジタルオーディオ放送受信方法。
【請求項１１】
前記異なるアンサンブルを検出するステップの前に、前記受信中のＢＷＳサービスのページを含む階層情報を記憶手段に保存するステップを有し、
前記同一のページを出力するステップでは、前記記憶手段に保存した受信中のＢＷＳのページ及び階層の情報を参照して同一のページを構成することを特徴とする請求項９に記載のデジタルオーディオ放送受信方法。
【請求項１２】
前記同一のページを出力するステップの前に、
前記ＢＷＳのページを取得するまで、前記記憶手段に保存した受信中のＢＷＳのページを前記表示手段の画面に出力するステップを有することを特徴とする請求項１０又は請求項１１に記載のデジタルオーディオ放送受信方法。
【請求項１３】
前記異なるアンサンブルを検出するステップは、良好な状態で受信可能な前記異なるアンサンブルが存在することを確認するステップであることを特徴とする請求項９に記載のデジタルオーディオ放送受信方法。
【請求項１４】
前記異なるアンサンブルを検出するステップの後に、
良好な状態で受信可能な前記異なるアンサンブルが存在しないと判定したとき、前記記憶手段に保存した閲覧中のＢＷＳのページを前記表示手段の画面に表示するステップを有することを特徴とする請求項９に記載のデジタルオーディオ放送受信方法。
【請求項１５】
前記異なるアンサンブルを検出するステップでは、前記受信中のアンサンブルに含まれるサービスリンク情報及び他アンサンブル情報を基にアンサンブルを検出することを特徴とする請求項９に記載のデジタルオーディオ放送受信方法。
【請求項１６】
さらに、受信状態が良好になったとき、前記記憶手段に格納しておいた閲覧中のＢＷＳのページと同一のページを構成して前記表示手段の画面に出力することを特徴とする請求項９に記載のデジタルオーディオ放送受信方法。
【発明の詳細な説明】
【技術分野】
【０００１】
本発明は、デジタルオーディオ放送受信装置及びデジタルオーディオ放送受信方法に関し、特に、ＤＡＢ受信機における放送ウェブサイト（ＢＷＳ）サービスの受信に好適なデジタルオーディオ放送受信装置及びデジタルオーディオ放送受信方法に関する。
【背景技術】
【０００２】
近年、放送はアナログ放送から、高画質・高音質な出力が可能であるとともに各種データの多重等が可能なデジタル放送に移行してきている。既に、欧州ではデジタルオーディオ放送ＤＡＢ（Digital Audio Broadcasting）が実用化されている。
【０００３】
デジタルオーディオ放送ＤＡＢは、所定の番組の音声信号データを周波数多重で挿入した複数のデータフィールドと、番組とデータフィールドの対応を示す番組配列データが挿入される情報フィールドを含む周波数多重放送信号を直交変調して放送局より送信し、周波数多重放送受信機で該周波数多重放送信号を受信し、ユーザにより指定された番組に応じたデータフィールドに挿入された周波数多重信号を復調してオーディオ信号に変換して出力するものである。
【０００４】
このようなＤＡＢ受信機において受信状態が悪化したときには、同一内容の番組を放送している別の放送局から受信することが行われている。これに関して特許文献１では、デジタル音声放送の受信状態が悪化した場合に、デジタル音声放送間のリンク機能を利用して番組を継続し、リンク機能を利用できないときには、デジタル音声放送とＦＭ放送との間のリンク機能を利用して番組を継続して出力する技術が記載されている。
【先行技術文献】
【特許文献】
【０００５】
【特許文献１】特開２０００−２２４０６４号公報
【発明の概要】
【発明が解決しようとする課題】
【０００６】
上記したように、ＤＡＢ受信機がデジタル放送を受信中に受信が不可能になったとき、予め検索しておいた同一の番組を放送している放送局へサービスリンクするようにしている。
【０００７】
一方、デジタルオーディオ放送では、画像情報信号や文字情報信号などが所定のフォーマットで圧縮され、複数のサービスに対応できるように複数チャネルの情報信号がデータ信号として多重化されて送信できるようになっている。
【０００８】
このようなデータ放送の一つとしてウェブサイトのページを表示可能なＢＷＳ（Broadcasting Web Site）サービスがある。このＢＷＳサービスを受信している状態で受信が不可能になった場合にも、上記したように同一のＢＷＳサービスを提供している放送局へサービスリンクすることによって、引き続きＢＷＳサービスを受けることができるようになっている。
【０００９】
しかし、同一のＢＷＳサービスへサービスリンクする際には、ウェブサイトのトップページが表示されるようになっており、ユーザが閲覧していたページを見るためには改めてその階層まで移動する操作が必要になってしまう。
【００１０】
本発明は、上記従来の課題に鑑みてなされたものであり、ＢＷＳサービスリンクにおいて、ユーザの操作なしに同一ページを表示可能にするデジタルオーディオ放送受信装置及びデジタルオーディオ放送受信方法を提供することを目的とする。
【課題を解決するための手段】
【００１１】
上述した従来技術の課題を解決するため、本発明の一形態によれば、複数個のオーディオサービス及び少なくとも放送ウェブサイト（ＢＷＳ）を含む複数個のデータサービスを多重化した放送波を受信するデジタルオーディオ放送受信装置であって、表示手段と、指示に応じた放送局の放送波を受信するチューナーと、受信中の放送信号の受信状態を検出する制御手段と、を有し、前記制御手段は、受信中の放送信号の受信状態が所定レベル未満になったとき、受信しているＢＷＳと同一のサービスを放送している異なるアンサンブルを受信して、閲覧しているページと同一のページを再構成して前記表示手段の画面に表示させる際に、新たなアンサンブルから再構成されたＭＯＴオブジェクトから、ＢＷＳサービスの階層構造が記述されたＭＯＴディレクトリを参照してどの階層のページまで再構成されたかを検出し、閲覧中のＢＷＳのページと同一のページが再構成された段階で、新たなアンサンブルから再構成されたページを表示させるデジタルオーディオ放送受信装置が提供される。
【００１２】
この形態に係るデジタルオーディオ放送受信装置において、さらに、記憶手段を備え、前記制御手段は、受信したデータサービスの閲覧中のＢＷＳのページの情報を前記記憶手段に保存し、当該閲覧中のＢＷＳのページの情報を参照して同一のページを構成し、前記表示手段の画面に出力するようにしてもよく、前記制御手段は、受信したデータサービスの閲覧中のＢＷＳのページを含む階層の情報を前記記憶手段に保存し、当該閲覧中のＢＷＳのページ及び階層の情報を参照して同一の階層におけるページを構成し、前記表示手段の画面に出力するようにしてもよく、前記制御手段は、前記切り替え後のアンサンブルにおいて前記ＢＷＳのページを取得するまで、前記記憶手段に格納しておいた閲覧中のＢＷＳのページを前記表示手段の画面に出力するようにしてもよい。
【００１３】
また、前記制御手段は、良好な状態で受信可能な前記異なるアンサンブルが存在することを検出したとき、当該アンサンブルに受信周波数を切り替えてＢＷＳのページを取得するようにしてもよく、前記制御手段は、良好な状態で受信可能な前記異なるアンサンブルが存在しないと判定したとき、前記記憶手段に格納した閲覧中のＢＷＳのページを前記表示手段の画面に出力するようにしてもよく、前記制御手段は、前記アンサンブルが存在するか否かの検出をサービスリンク情報及び他アンサンブル情報を基に行うようにしてもよく、前記制御手段は、受信状態が良好になったとき、前記記憶手段に格納した閲覧中のＢＷＳのページと同一のページを構成して前記表示手段の画面に出力するようにしてもよい。
【００１４】
また、本発明の他の形態によれば、受信中のＢＷＳサービスの放送信号の受信状態を検出するステップと、受信状態が所定レベル未満となったとき、デジタルオーディオ放送受信装置で受信しているＢＷＳサービスと同一のサービスを放送している異なるアンサンブルを検出するステップと、新たなアンサンブルから再構成されたＭＯＴオブジェクトから、前記ＢＷＳサービスの階層構造が記述されたＭＯＴディレクトリを参照してどの階層のページまで再構成されたかを検出するステップと、閲覧中のＢＷＳのページと同一のページが再構成された段階で、新たなアンサンブルから再構成されたページを表示させるステップと、を有するデジタルオーディオ放送受信方法が提供される。
【００１５】
この形態に係るデジタルオーディオ放送受信方法において、前記異なるアンサンブルを検出するステップの前に、前記受信中のＢＷＳサービスのページを記憶手段に保存するステップを有し、前記同一のページを出力するステップでは、前記記憶手段に保存した受信中のＢＷＳのページを参照して同一のページを構成するようにしてもよく、前記異なるアンサンブルを検出するステップの前に、前記受信中のＢＷＳサービスのページを含む階層情報を記憶手段に保存するステップを有し、前記同一のページを出力するステップでは、前記記憶手段に保存した受信中のＢＷＳのページ及び階層の情報を参照して同一のページを構成するようにしてもよく、前記同一のページを出力するステップの前に、前記ＢＷＳのページを取得するまで、前記記憶手段に保存した受信中のＢＷＳのページを前記表示手段の画面に出力するステップを有するようにしてもよい。
【００１６】
また、前記異なるアンサンブルを検出するステップは、良好な状態で受信可能な前記異なるアンサンブルが存在することを確認するステップであるようにしてもよく、前記異なるアンサンブルを検出するステップの後に、良好な状態で受信可能な前記異なるアンサンブルが存在しないと判定したとき、前記記憶手段に保存した閲覧中のＢＷＳのページを前記表示手段の画面に表示するステップを有するようにしてもよく、前記異なるアンサンブルを検出するステップでは、前記受信中のアンサンブルに含まれるサービスリンク情報及び他アンサンブル情報を基にアンサンブルを検出するようにしてもよく、さらに、受信状態が良好になったとき、前記記憶手段に格納しておいた閲覧中のＢＷＳのページと同一のページを構成して前記表示手段の画面に出力するようにしてもよい。
【発明の効果】
【００１７】
本発明のデジタルオーディオ放送受信装置及びデジタルオーディオ放送受信方法では、ＢＷＳサービスを受信して、ある階層のページを表示している状態で、受信状態の悪化によりサービスリンクをしたとき、リンク先のＢＷＳサービスにおいてもリンク前に表示していた階層のページを表示するようにしている。これにより、リンク先で表示されるＢＷＳのトップページから、改めて閲覧していた階層のページまで移動させるという手間を省くことが可能になる。
【００１８】
また、リンク先で閲覧していた階層のページに移動するまでの間、リンク前のアンサンブルで受信していたＢＷＳのページを表示するようにしている。これにより、サービスリンクをする間もＢＷＳのページが表示されるため、ユーザにサービスリンクの際に画面に何も表示されない状態が続くことによる違和感を軽減することが可能になる。
【図面の簡単な説明】
【００１９】
【図１】本発明の実施形態に係るデジタルオーディオ放送受信装置の構成を示すブロック図である。
【図２】ＤＡＢのサービス成分構造の一例を示す図である。
【図３】ＤＡＢの伝送フレームの構造を示す図である。
【図４】ＭＯＴオブジェクトの再構成を説明する図である。
【図５】ＢＷＳサービスで表示されるページの階層構成の一例を示す図である。
【図６】ＢＷＳの階層記述の一例を示す図である。
【図７】サービスリンク後における同一階層ページ表示処理の一例を示すフローチャート（その１）である。
【図８】サービスリンク時の状況を説明する図である。
【図９】ＦＩＧ０／６及びＦＩＧ０／２４のフォーマットを示す図である。
【図１０】サービスリンク後における同一階層ページ表示処理の一例を示すフローチャート（その２）である。
【発明を実施するための形態】
【００２０】
以下、本発明の実施の形態について、図面を参照して説明する。本実施形態では、デジタルオーディオ放送受信装置１００として、ＤＡＢ受信機を例にとって説明する。
【００２１】
図１は、本発明の実施形態に係るデジタルオーディオ放送受信装置１００の構成を示すブロック図である。この図１に示すように、デジタルオーディオ放送受信装置１００は、アンテナ１と、チューナー２と、Ａ／Ｄ変換器３と、ベースバンドデコーダ４と、制御部５と、操作部６と、表示部７と、記憶部８により構成されている。ベースバンドデコーダ４は、ＦＦＴ１１と、デマルチプレクサ１２と、チャネルデコーダ１３と、オーディオデコーダ１４と、ＰＡＤデコーダ１５と、パケットモードデコーダ１６とで構成されている。
【００２２】
アンテナ１は、直交周波数分割多重（ＯＦＤＭ：Orthogonal Frequency Division Multiplexing）方式のデジタル放送の電波を受信する。
【００２３】
チューナー２は、アンテナ１によって受信した、ＤＡＢ（Digital Audio Broadcasting）やＤＭＢ（Digital Multimedia Broadcasting）などのデジタル放送の電波から所望のチャネルに合致した受信周波数の放送波信号を選択的に抽出して、ベースバンドにダウンコンバートして出力する。Ａ／Ｄ変換器３は、ダウンコンバートされたアナログベースバンド信号をデジタル信号に変換する。
【００２４】
ＦＦＴ１１は、デジタル信号に変換されたベースバンド信号について高速フーリエ変換を行って受信シンボルを得る。デマルチプレクサ１２は、多重化されている信号を分離する。
【００２５】
チャネルデコーダ１３は、受信シンボルで構成されるＤＡＢ伝送フレームから任意の１つの音楽チャネル及び任意のデータチャネルを抽出する。また、チャネルデコーダ１３では、復調で得られた受信シンボルを構成するＤＡＢ伝送フレームを高速情報チャネル（ＦＩＣ）並びに複数の音楽チャネル及び複数のデータチャネルを有するメインサービスチャネル（ＭＳＣ）に分離する。また、ＭＳＣからユーザにより選択されたチャネルについてデインタリーブ、ビタビ復号、エネルギー拡散デスクランブルなどの処理を行う。また、ＦＩＣについてもビタビ復号、エネルギー拡散デスクランブルなどの処理を行う。
【００２６】
オーディオデコーダ１４は、抽出された音楽チャネルのオーディオ信号をデコードする。デコードされたオーディオ信号は不図示のＤ／Ａ変換器、増幅器、及びスピーカを介して音声出力される。
【００２７】
ＰＡＤデコーダ１５は、チャネルデコーダ１３で抽出された、サービスに付加されたプログラム関連データ（ＰＡＤ）やＭＯＴ（Multimedia Object Transfer）データをデコードして、データグループレベルのデータに再構成する。
【００２８】
パケットモードデコーダ１６は、チャネルデコーダ１３で抽出されたサービスを構成するパケットをデコードして、データグループレベルのデータに再構成する。
【００２９】
制御部５は、マイクロコンピュータで構成され、デジタルオーディオ放送受信装置１００の各部を制御し、操作部１２の操作によってチャネル設定の制御信号が入力されたときに、チューナー２が受信するチャネルを決定し、このチャネルに合致する受信周波数をチューナー２に設定する。
【００３０】
また、制御部５は、ＰＡＤデコーダ１５又はパケットモードデコーダ１６によりデコードされたＭＯＴデータをデコードして、ＭＯＴオブジェクトを再構成したり、ＦＩＣ中の高速情報グループ（ＦＩＧ）を解析して、同一の内容を放送している放送局があるか否か等の判断を行う。
【００３１】
操作部６は、デジタルオーディオ放送受信装置１００の操作に必要な操作ボタン等が設けられ、所望の放送局を選局する指示を行う。
【００３２】
記憶部７は、ハードディスクや半導体メモリで構成され、ＢＷＳサービスを受信して閲覧中のページや階層の情報などを保存する。
【００３３】
表示部８は、例えば液晶表示装置（ＬＣＤ）で構成され、ＰＡＤデコーダ１５又はパケットモードデコーダ１６でデコードされて取得したデータを表示する。また、種々の指示を入力するメニュー画面を表示する。表示部８にタッチパネルを設け、ユーザからの指示を入力する場合には、操作部６として機能する。
【００３４】
このように構成されたデジタルオーディオ放送受信装置１００において、ＢＷＳサービスを受信中に受信状態が悪化して他のアンサンブルにサービスリンクするとき、受信していたＢＷＳの階層のページをサービスリンク後も表示するようにする。
【００３５】
以下に、ＢＷＳを受信中に受信状態が悪化して他のアンサンブルを受信したとき、閲覧していたＢＷＳのページへの切り替えを違和感なく行う処理について、図２から図１０を参照しながら説明する。図２及び図３はＤＡＢの規格書（ＥＮ３００４０１、ＥＮ３０１２３４）から抜粋したものである。
【００３６】
図２は、ＤＡＢのサービス成分構造の一例を示す図である。ユーザはサービス成分（Service）を選択することにより各サービス成分コンポーネント（Service component）へアクセスする。一つのアンサンブル（Ensemble）により複数個のサービス成分にアクセスすることができ、各サービス成分は１個以上のサービス成分コンポーネントをもつ。
【００３７】
各サービス成分の根本的なサービス成分コンポーネントはプライマリサービス成分コンポーネントと呼ばれる。プライマリサービス成分コンポーネントは、通常はオーディオとしてのプログラムサービス成分であるが、データサービス成分であってもよい。
【００３８】
アンサンブルラベル（アンサンブル名）がＤＡＢアンサンブル１（DAB ENSEMBLE ONE）であるアンサンブルは、サービス成分ラベルがアルファ１ラジオ（ALPHA 1 RADIO）、ベータラジオ（BETA RADIO）、アルファ２ラジオ（ALPHA 2 RADIO）等の複数のサービス成分を含んでいる。
【００３９】
アルファ１ラジオは、プライマリ（Primary）のサービス成分コンポーネントを１個、セカンダリ（Secondary）のサービス成分コンポーネントを１個有している。プライマリのサービス成分コンポーネントはオーディオ（Audio）であり、セカンダリのサービス成分コンポーネントは交通メッセージチャネル：ＴＭＣ（Traffic Message Channel）である。
【００４０】
オーディオ成分はＭＳＣ内のサブチャネル（SubCh）で伝送され、ＴＭＣはＦＩＣ内のＦＩＤＣ（Fast Information Data Channel）で伝送される。
【００４１】
ベータラジオはサービス成分コンポーネントを２個もっている。２つともオーディオであり、どちらもＭＳＣのサブチャネルで伝送される。
【００４２】
アルファ２ラジオは、アルファ１ラジオと同一のＴＭＣを持ち、スイッチの切り替えによってはオーディオもアルファ１ラジオと同じになることがある。
【００４３】
図２に示したＴＭＣのように、ＤＡＢではオーディオだけでなく、データサービスも放送信号を用いて放送している。データ放送のための放送プロトコルとしてＭＯＴ（Multimedia Object Transfer）プロトコルがある。このＭＯＴプロトコルは放送ウェブサイト（ＢＷＳ：Broadcasting Web Site）やスライドショーのように、時間に依存しないデータをオブジェクト単位で放送する場合に使用されるプロトコルである。
【００４４】
このようなＢＷＳのデータはＸ−ＰＡＤとしてオーディオのサービスに含まれている場合と、パケットモードの２種類存在し、どちらのデータチャネルもＭＯＴプロトコルによって伝送される。ＰＡＤは、伝送フレームのうち、音声情報を含むフレームの末尾に配置される。パケットモードはデータ番組そのものを伝送するものであり、データ番組を一定のサイズのパケットと呼ばれるブロックに分割し、これら複数のブロックにまとめたものを数回に分けて伝送する。
【００４５】
ＭＯＴプロトコルを介して伝送されるデータは、ＭＯＴヘッダデータと、ＭＯＴヘッダデータに対応するＭＯＴボディ（本体）データとを含んでいる。このうち、ＭＯＴボディデータは、複数のＭＯＴオブジェクトデータからなる実際のコンテンツデータであり、ＭＯＴヘッダデータは、対応するＭＯＴボディデータのサイズやサービス種類、ＭＯＴオブジェクトデータ毎の固有情報であるトランスポートＩＤなどに関する情報が格納されている。また、ＢＷＳのように階層構造をもつデータに対しては、その階層構造の情報をＭＯＴディレクトリによって表している。
【００４６】
デジタルオーディオ放送受信装置１００は、ＭＯＴデータを受信した後、トランスポートＩＤに基づいて受信されたＭＯＴボディデータを再構成することによって元のデータが得られ、得られたデータを使用してユーザにサービスを提供することができる。
【００４７】
このようなＭＯＴデータは、一般に、複数のＭＳＣ（Main Service Channel）データを含んでいる。
【００４８】
ＭＳＣデータは、放送局を介して受信される複数のパケットデータ又はＸ−ＰＡＤ（Extend Program Associated Data）のサブフィールドを介して受信される。複数のＭＳＣデータは、それぞれ、個々のＭＯＴオブジェクトデータを構成するためのシリアル情報を有している。例えば、ＭＯＴヘッダを構成するためのＭＳＣデータは、１番から１０番のシリアル情報を有し、かつ、ＭＯＴボディを構成するためのＭＳＣデータもまた１番から１０番のシリアル情報を有する。この場合には、ＭＳＣデータは上記のシリアル情報に加えてＭＳＣデータの使用により形成されたＭＯＴオブジェクトデータが、ＭＯＴヘッダ又はＭＯＴボディのいずれに該当するかに関する情報も含む。
【００４９】
図３は、ＤＡＢの伝送フレーム（Transmission Frame）の構成を示す図である。送信されるＤＡＢ信号は、ＯＦＤＭで変調されたＯＦＤＭ信号として送信され、図３に示す伝送フレームはＯＦＤＭ信号を復調した復調ＯＦＤＭ信号から得られる。
【００５０】
ＤＡＢの伝送フレームは、図３（ａ）に示すように、同期チャネル（Synchronization Channel）、高速情報チャネル（FIC：Fast Information Channel）、主サービスチャネル（MSC：Main Service Channel）で構成される。
【００５１】
同期チャネルは、フレームを識別するものであり、伝送フレーム同期化（transmission frame synchronization）、自動周波数制御（automatic frequency control）、チャネル状態推定（channel state estimation）、送信機識別（transmitter identification）のような基本的復調器の機能のために用いられる。
【００５２】
ＦＩＣは、受信機が迅速に情報をアクセスできるようにするためのチャネルであり、多重化の配列、サービスの名称、ページング・コード、トラヒック・メッセージ制御などの情報が含まれる。ＦＩＣは、複数個のブロックＦＩＢ（Fast Information Block）で構成され、ＦＩＢは、３０バイトのＦＩＢデータ領域と１６ビットのＣＲＣ（Cyclic Redundancy Check）で構成される。ＦＩＢデータ領域は、一つ以上のＦＩＧ（Fast Information Group）、１個のエンドマーカ（End marker）、及び１個のパッディング（ＦＩＢデータ領域をバイトに合わせるために残ったビットに０を入れること）で構成される。
【００５３】
ＦＩＧはＦＩＧタイプ（FIG type）及び長さ（Length）で構成されるＦＩＧヘッダとＦＩＧデータフィールドからなり、ＦＩＧタイプは、ＦＩＧデータフィールドに記録されるデータのタイプを表し、長さは、ＦＩＧデータフィールドの長さを表す。
【００５４】
例えば、ＦＩＧタイプ０は、現在以降のマルチプレクス構成（multiplex configuration）、マルチプレクス再構成（multiplex re-configuration）、時間と日付、及びその他の基本サービス情報を表すために用いられる。このＦＩＧタイプ０のＦＩＧデータフィールドには、拡張（extension）フィールドとタイプ０フィールド（Type 0 field）がある。拡張フィールドは、タイプ０フィールドの３２種のインタープリテーションの中から一つを識別するためのものである。
【００５５】
ＭＳＣは、ビデオ、オーディオ、データサービスコンポーネントを搬送するために用いられるチャネルであり、伝送モードに応じた数のＣＩＦ（Common Interleaved Frame）で構成される。各ＣＩＦは、複数の音楽用のサブチャネル、複数の一般データ用のサブチャネルが多重化されており、１つのサブチャネルは一つの番組に相当する。
【００５６】
図３（ｂ）は、ＢＷＳがオーディオのサービスに含まれている場合の、ＭＳＣデータを構成するＸ−ＰＡＤデータの例を示している。図３（ｂ）に示すように、デジタルオーディオ放送受信装置は、Ｘ−ＰＡＤモードによって受信されたデータを用いてＭＳＣデータを構成する。
【００５７】
ＭＳＣデータは、ＭＯＴオブジェクトデータを構成するための情報、すなわち、トランスポートＩＤ，ＭＳＣデータのシリアル番号であるセグメント番号、及びトランスポートＩＤに対応するＭＯＴオブジェクトデータを構成するために必要な最後のセグメント番号、などが格納されるＭＳＣデータグループヘッダを含んでいる。さらに、ＭＳＣデータグループヘッダは、ＭＯＴオブジェクトデータを構成するのに必要なＭＳＣデータの個数に関する情報を含むことができる。
【００５８】
図３（ｃ）は、ＭＳＣデータを構成するためのパケットデータの例を示している。ＢＷＳのデータは、パケットデータフィールド（Packet data field）に記述されている。図３（ｂ）のＸ−ＰＡＤモードと同様に、デジタルオーディオ放送受信機は、パケットモードによって受信されたデータを用いてＭＳＣデータを構成することができる。
【００５９】
図４は、ＭＯＴオブジェクトの再構成を説明する図である。チャネルデコーダ１３でデコードされたＸ−ＰＡＤデータサブフィールドのデータは、ＰＡＤデコーダ１５でデコードされてデータグループレベルのＭＳＣデータグループデータの一部が構成される。また、パケットデータはパケットモードデコーダ１６でデコードされてＭＳＣデータグループデータの一部が構成される。ＭＳＣデータグループのデータはＭＯＴデータデコーダに入力され、データグループデコーダを通してＭＯＴセグメントを得る。このＭＯＴセグメントを基に、ＭＯＴディレクトリとＭＯＴボディを再構成する。ＭＯＴディレクトリとＭＯＴボディで構成されるＭＯＴオブジェクトはユーザ端末内のデコーダを通して画像データに変換されて出力される。
【００６０】
このようにして再構成されたＭＯＴオブジェクトから、ＢＷＳサービスを受信したときにどの階層の画面まで表示されているかを検出する。ＢＷＳサービスの階層構造が記述されたＭＯＴディレクトリを参照することによって、どの階層のどのページまで再構成されたかを検出する。
【００６１】
図５は、ＢＷＳサービスで表示される画面の階層構成の一例を示した図である。また、図６は、具体的なＢＷＳの階層記述の一例を示した図である。図５に示すように、ＢＷＳのページは一つの最上位のＴｏｐｎｅｗｓの下に複数の階層を有し、各階層で１又は複数のページを有している。この最上位のページや階層などのデータはＭＯＴディレクトリに記述されている。
【００６２】
図６（ａ）は、２つの番組（Ｎｅｗｓ，Ｓｐｏｒｔ）に対応する論理構造であり、図６（ｂ）は、図６（ａ）に対応するディレクトリの記述例を示している。例えば、図６（ａ）の“News1-1”のページは、図６（ｂ）の“/news/index/news1/news1-1.html”のデータを用いて表示される。
【００６３】
サービスリンクによって、別のアンサンブルを受信したとき、最初に構成されるページは最上層のページとなっている。そのため、ユーザが下位の階層のページを閲覧していたときには、その階層のページは表示されず、再構成が完了した後、改めてメニュー等を操作してユーザの所望のページを表示させなければならない。例えば、図５の階層２−５の画面をユーザが閲覧していたとすると、サービスリンク後に最初に表示される画面はＴｏｐｎｅｗｓのページであり、そこから階層２−５のページまで移動させなければならない。
【００６４】
本実施形態では、閲覧していた階層及びページの情報を記憶部８に保存しておき、サービスリンク後のアンサンブルの受信後、閲覧していた階層のページと同一のページを表示するようにしている。すなわち、ＭＯＴディレクトリ及びＭＯＴボディのＭＯＴオブジェクトの情報を基に、トップページを表示することなく、閲覧していたページと同一のページが構成された段階でそのページを表示するようにしている。
【００６５】
なお、この同一のページが構成されるまでにどの程度の時間がかかるかは不明である。Ｔｏｐｎｅｗｓが一番先に構成されるものの、下位の階層の画面の構成順序は決まっていない。そのため、閲覧していた画面が早く表示される場合もあるし表示されるまでに時間がかかる場合もある。そこで、サービスリンク後のアンサンブルの受信において同一ページが構成されるまで、記憶部８に保存したアンサンブル切り替え時点でのページのデータそのものを用いて表示するようにしてもよい。その後、同一ページが構成されたときは、その構成されたページのデータを用いて再表示するようにしてもよい。
【００６６】
このように、本実施形態ではデジタルオーディオ放送受信装置１００でＢＷＳサービスを受信している状態で、受信状態が悪化した場合に、同一のサービスを放送している異なるアンサンブルを検出して閲覧していたＢＷＳサービスのページと同一のページを表示するようにしている。これにより、サービスリンクが行われたときに、それまで閲覧していたページに移動する手間を省くことができる。
【００６７】
次に、図７から図１０を参照しながら、サービスリンク後における同一ページ表示処理について説明する。
【００６８】
図７は、デジタルオーディオ放送受信装置１００の制御部５が行うサービスリンク後における同一ページ表示処理の一例を示すフローチャートである。なお、本処理では、デジタル放送の受信状態が悪化したことを検出したときに実施されるものとする。受信状態の悪化の検出は、例えば、チャネルデコーダ１３から取得するＢＥＲが規定値を越えたことや、受信強度などによって判断される。
【００６９】
まず、図７のステップＳ１１において、サービスリンク関連情報を取得する。図８の、受信中のＤＡＢ放送（１）とリンク先のＤＡＢ放送（２）とのサービスリンク時の状況説明図に示すように、ＤＡＢ放送（１）を受信中に伝送フレームのＦＩＧデータを取得して同一のサービスを放送しているアンサンブルがあるか否かを確認し、その情報を保存する。サービスリンクに関連する情報は、受信中のＤＡＢのＦＩＣデータの中のＦＩＧ０／６（拡張６のためのタイプ０フィールド）に含まれている。このＦＩＧデータを取得して、サービスリンクがされているか否かを確認する。図９（ａ）はＦＩＧ０／６のフォーマットであり、サービスリンクされていればＦＩＧ０／６の中のＳＩｄにリンク先のサービス（放送局）が記載されている。
【００７０】
次のステップＳ１２において、現在視聴している放送と同一内容のサービスを放送しいているリンク先（別アンサンブル）の周波数が存在するか否かを確認する。ステップＳ１１において取得したサービスリンク関連情報と、他アンサンブルに関する情報を基に現在受信しているサービスと同一のサービスがどこにあるのかを確認する。他アンサンブルに関する情報は、ＦＩＣのＦＩＧ０／２４に含まれている。図９（ｂ）はＦＩＧ０／２４のフォーマットであり、サービスＳＩｄに対応するアンサンブルが存在すれば、ＥＩｄにそのアンサンブルが記載されている。
【００７１】
次のステップＳ１３において、リンク先の受信状況を確認する。受信状況の確認は、リンク先の周波数にチューニングして、その放送局のＣ／Ｎ比（搬送波電力対雑音電力比）を検出する。評価基準としては、Ｃ／Ｎ比の他に、受信強度やＢＥＲなどの受信レベルの情報を使用してもよい。
【００７２】
次のステップＳ１４において、リンク可能か否かを判断する。ステップＳ１３において検出したＣ／Ｎ比等の値を基に受信状況が良好か否かを判断する。リンク可能であれば、ステップＳ１５に移行し、受信状況が悪くリンク不可能であれば、ステップＳ１７に移行する。
【００７３】
次のステップＳ１５において、現在閲覧中のＢＷＳ情報の階層を確認する。図８に示すように、受信状態が劣化したと判断された時点におけるＢＷＳ情報を、ＭＯＴディレクトリ及びＭＯＴボディから取得する。
【００７４】
次のステップＳ１６において、ステップＳ１２で検出した別アンサンブルへリンクするとともに、ステップＳ１５において確認したＢＷＳ情報の階層まで移動させてＢＷＳのページを出力する。
【００７５】
一方、リンク可能な別アンサンブルが存在しない場合は、ステップＳ１７において現在のサービスの受信を継続して、本処理は終了する。
【００７６】
なお、元のアンサンブルの受信状態が良好になったときには、再び元のアンサンブルへ戻して元のアンサンブルにおけるＢＷＳ情報を基にページを表示するようにしてもよい。
【００７７】
次に、アンサンブルの切り替えの際に、ＢＷＳサービスのページの表示が途切れることのないようにする処理について説明する。
【００７８】
図１０のステップＳ２１からステップＳ２４は、図７のステップＳ１１からステップＳ１４までの処理と同様であるので説明を省略する。
【００７９】
図１０のステップＳ２５において、現在閲覧中のＢＷＳ情報の階層を確認する。このとき、現在閲覧中のＢＷＳのページの情報を記憶部８に格納しておく。
【００８０】
次のステップＳ２６において、別アンサンブルへリンクするとともに、ステップＳ２５で確認した階層に移動するまで、現在のアンサンブルで受信状態が良好なときに受信したＢＷＳのページを出力する。すなわち、サービスリンク先の放送を受信したあと、そのサービスにおいて該当するＢＷＳのページを生成するまで、記憶部８に格納されたＢＷＳのページデータを用いて画面に表示する。その後、リンク先のサービスにおけるＢＷＳのページが生成されたときはステップＳ２７においてそのＢＷＳのページを表示して本処理は終了する。
【００８１】
一方、受信状態が良好なリンク先が存在しないときは、ステップＳ２８において現在のサービスの受信を継続するとともに、記憶部８に格納した受信状態が良好なときのＢＷＳのページを出力して本処理は終了する。
【００８２】
なお、上記処理ではステップＳ２５又はステップＳ２８において現在閲覧中のＢＷＳのページの情報を記憶部８に格納しているが、ステップＳ２４における他アンサンブルへのサービスリンクが可能か否かの判断をする前の時点で閲覧中のＢＷＳページの情報を記憶部８に格納しておくようにしてもよい。また、閲覧するＢＷＳのページが変更になった時点でその情報を記憶部８に格納しておくようにしてもよい。これらの場合には、ステップＳ２６又はステップＳ２８において、記憶部８に格納されたＢＷＳのページを表示することになる。
【００８３】
また、元のアンサンブルの受信状態が良好になったときには、再び元のアンサンブルへ戻して元のアンサンブルにおけるＢＷＳ情報を基にページを表示するようにしてもよい。この場合に、他アンサンブルにおいて受信しているＢＷＳのページの情報を記憶部８に保存しておき、元のアンサンブルにおけるＢＷＳのページが再構成されるまで、他アンサンブルの受信中に保存しておいたＢＷＳのページを表示するようにしてもよい。
【００８４】
以上説明したように、本実施形態のデジタルオーディオ放送受信装置及びデジタルオーディオ放送受信方法では、ＢＷＳサービスを受信して、ある階層のページを表示している状態で、受信状態の悪化によりサービスリンクをしたとき、リンク先のＢＷＳサービスにおいてもリンク前に表示していた階層のページを表示するようにしている。これにより、リンク先で表示されるＢＷＳのトップページから、改めて閲覧していた階層のページまで移動させるという手間を省くことが可能になる。
【００８５】
また、リンク先で閲覧していた階層のページに移動するまでの間、リンク前のアンサンブルで受信していたＢＷＳのページを表示するようにしている。これにより、サービスリンクをする間もＢＷＳのページが表示されるため、ユーザにサービスリンクの際に画面に何も表示されない状態が続くことによる違和感を軽減することが可能になる。
【符号の説明】
【００８６】
１…アンテナ、
２…チューナー、
３…Ａ／Ｄ変換器、
４…ベースバンドデコーダ、
５…制御部、
６…操作部、
７…表示部、
８…記憶部、
１１…ＦＦＴ、
１２…デマルチプレクサ、
１３…チャネルデコーダ、
１４…オーディオデコーダ、
１５…ＰＡＤデコーダ、
１６…パケットモードデコーダ、
１００…デジタルオーディオ放送受信装置。
【図１】
0005490564.tif 000002
【図２】
0005490564.tif 000003
【図３】
0005490564.tif 000004
【図４】
0005490564.tif 000005
【図５】
0005490564.tif 000006
【図６】
0005490564.tif 000007
【図７】
0005490564.tif 000008
【図８】
0005490564.tif 000009
【図９】
0005490564.tif 000010
【図１０】
0005490564.tif 000011